(57)【要約】【課題】位相制御の精度の向上を図ること。【解決手段】位相シフト回路１００は、無線装置に設けられるアンテナにより送信される信号の位相を調整する。位相シフト部１０１は、信号を分岐し、分岐した各信号に位相差を与え、アンプ回路に含まれる所定のトランジスタを用いて各信号の電圧比を調整し、位相差を与え且つ電圧比を調整した各信号を加算する。第１の制御部１０２は、無線装置が第１の状態である場合に、アンプ回路に含まれる特定のトランジスタへの印加電圧を変化させながら特定のトランジスタの出力を検出することによって特定のトランジスタのピンチオフ電圧を特定する。第２の制御部１０３は、無線装置が第２の状態である場合に、第１の制御部１０２によって特定されたピンチオフ電圧に応じた、所定のトランジスタの印加電圧と位相との対応情報を用いて、所定のトランジスタへの印加電圧を制御する。【選択図】図１
2015192431.tif 000002
【特許請求の範囲】
【請求項１】
無線装置に設けられるアンテナにより送信される信号または前記アンテナにより受信された信号の位相を調整する位相シフト回路であって、
前記信号を分岐し、分岐した各信号に位相差を与え、アンプ回路に含まれる所定のトランジスタを用いて前記各信号の電圧比を調整し、前記位相差を与え且つ前記電圧比を調整した各信号を加算する位相シフト部と、
前記無線装置が第１の状態である場合に、前記アンプ回路に含まれる特定のトランジスタへの印加電圧を変化させながら前記特定のトランジスタの出力を検出することによって前記特定のトランジスタのピンチオフ電圧を特定する第１の制御部と、
前記無線装置が前記第１の状態とは異なる第２の状態である場合に、前記第１の制御部によって特定された前記ピンチオフ電圧に応じた、前記所定のトランジスタの印加電圧と位相との対応情報を用いて、前記所定のトランジスタへの印加電圧を制御する第２の制御部と、
を有することを特徴とする位相シフト回路。
【請求項２】
前記対応情報は、前記第２の制御部による前記所定のトランジスタへの印加電圧の前記ピンチオフ電圧に応じた制御範囲と、前記位相シフト部によって加算された信号の位相の可変範囲と、を対応付けた情報であることを特徴とする請求項１に記載の位相シフト回路。
【請求項３】
前記第１の制御部は、前記特定のトランジスタの出力の電流値に基づいて前記特定のトランジスタの出力を検出することを特徴とする請求項１または２に記載の位相シフト回路。
【請求項４】
前記第１の制御部は、前記特定のトランジスタの出力のパワーに基づいて前記特定のトランジスタの出力を検出することを特徴とする請求項１または２に記載の位相シフト回路。
【請求項５】
前記第１の状態は、前記無線装置が前記信号の送信および受信のいずれも行っていない状態であり、
前記第２の状態は、前記無線装置が前記信号の送信または受信を行っている状態である
ことを特徴とする請求項１〜４のいずれか一つに記載の位相シフト回路。
【請求項６】
無線装置に設けられるアンテナにより送信される信号または前記アンテナにより受信された信号の位相を調整する位相シフト回路の位相補償方法であって、
前記信号を分岐し、分岐した各信号に位相差を与え、アンプ回路に含まれる所定のトランジスタを用いて前記各信号の電圧比を調整し、前記位相差を与え且つ前記電圧比を調整した各信号を加算する位相シフト回路について、
前記無線装置が第１の状態である場合に、前記アンプ回路に含まれる特定のトランジスタへの印加電圧を変化させながら前記特定のトランジスタの出力を検出することによって前記特定のトランジスタのピンチオフ電圧を特定し、
前記無線装置が前記第１の状態とは異なる第２の状態である場合に、特定した前記ピンチオフ電圧に応じた、前記所定のトランジスタの印加電圧と位相との対応情報を用いて、前記所定のトランジスタへの印加電圧を制御する
ことを特徴とする位相補償方法。
【発明の詳細な説明】
【技術分野】
【０００１】
本発明は、位相シフト回路および位相補償方法に関する。
【背景技術】
【０００２】
従来、測定用のトランジスタを設け、プロセス中に、測定端子に不純物を混入し、ゲート・ソース間に大きな容量を付加させてピンチオフ電圧を測定する方法がある（例えば、下記特許文献１参照。）。また、容量可変ダイオードとブランチラインハイブリッドとを有し、直前の直流増幅器の利得を設定することにより、振幅位相変調歪を補償する移相器がある（例えば、下記特許文献２参照。）。また、並列帰還回路を抵抗のみで構成し、電界効果トランジスタのドレイン電圧における高周波成分に加えて直流成分をゲートに帰還させる回路がある（例えば、下記特許文献３参照。）。
【先行技術文献】
【特許文献】
【０００３】
【特許文献１】特開平１０−２８４５６２号公報
【特許文献２】特開平９−１８６６１４号公報
【特許文献３】特開平１１−１９５９３６号公報
【発明の概要】
【発明が解決しようとする課題】
【０００４】
しかしながら、従来技術では、例えばトランジスタの環境温度の変化やウェハの個体間でのバラツキによって、位相制御の精度が低くなるという問題がある。
【０００５】
１つの側面では、本発明は、位相制御の精度の向上を図ることを目的とする。
【課題を解決するための手段】
【０００６】
本発明の一側面によれば、無線装置に設けられるアンテナにより送信される信号または前記アンテナにより受信された信号の位相を調整する位相シフト回路であり、前記信号を分岐し、分岐した各信号に位相差を与え、アンプ回路に含まれる所定のトランジスタを用いて前記各信号の電圧比を調整し、前記位相差を与え且つ前記電圧比を調整した各信号を加算する位相シフト回路について、前記無線装置が第１の状態である場合に、前記アンプ回路に含まれる特定のトランジスタへの印加電圧を変化させながら前記特定のトランジスタの出力を検出することによって前記特定のトランジスタのピンチオフ電圧を特定し、前記無線装置が前記第１の状態とは異なる第２の状態である場合に、特定した前記ピンチオフ電圧に応じた、前記所定のトランジスタの印加電圧と位相との対応情報を用いて、前記所定のトランジスタへの印加電圧を制御する、位相シフト回路および位相補償方法、が提案される。
【発明の効果】
【０００７】
本発明の一態様によれば、位相制御の精度の向上を図ることができる。
【図面の簡単な説明】
【０００８】
【図１】図１は、実施の形態１にかかる位相シフト回路の機能的構成の一例を示す機能ブロック図である。
【図２Ａ】図２Ａは、位相シフト回路を備えた無線装置の一例を示す説明図である。
【図２Ｂ】図２Ｂは、無線装置の適用例を示す説明図（その１）である。
【図２Ｃ】図２Ｃは、無線装置の適用例を示す説明図（その２）である。
【図３】図３は、実施の形態１にかかる位相シフト回路の構成の一例を示す説明図である。
【図４】図４は、アンプに含まれるＦＥＴのゲート電圧に対するゲイン特性の一例を示すグラフである。
【図５】図５は、制御電圧と位相との関係の一例を示すグラフである。
【図６】図６は、制御電圧のテーブルの一例を示す説明図である。
【図７】図７は、制御電圧と位相との関係の温度変化の一例を示すグラフである。
【図８】図８は、温度毎のピンチオフ電圧の検出結果の一例を示すグラフである。
【図９】図９は、ピンチオフ電圧が低い場合の制御電圧と位相との関係の一例を示すグラフである。
【図１０】図１０は、ピンチオフ電圧が高い場合の制御電圧と位相との関係の一例を示すグラフである。
【図１１】図１１は、アンプに含まれるＦＥＴのゲート電圧に対するドレイン電流の温度依存の一例を示すグラフである。
【図１２】図１２は、制御電圧と位相との関係の補正の一例を示すグラフである。
【図１３】図１３は、ＦＥＴのゲート電圧に対するドレイン電流のウェハの個体依存の一例を示すグラフである。
【図１４】図１４は、位相シフト回路が行う位相補償方法の一例を示すフローチャートである。
【図１５】図１５は、電流測定部の一例を示す説明図である。
【図１６】図１６は、実施の形態２にかかる位相シフト回路の構成の一例を示す説明図である。
【図１７】図１７は、アンプに含まれるＦＥＴのゲート電圧に対するパワーの温度依存の一例を示すグラフである。
【図１８】図１８は、実施の形態２にかかる位相シフト回路が行う位相補償方法の一例を示すフローチャートである。
【図１９】図１９は、無線装置の適用例を示す説明図（その３）である。
【発明を実施するための形態】
【０００９】
以下に図面を参照して、開示技術の好適な実施の形態１，２を詳細に説明する。
【００１０】
（実施の形態１）
（位相シフト回路の機能的構成）
図１は、実施の形態１にかかる位相シフト回路の機能的構成の一例を示す機能ブロック図である。図１に示すように、位相シフト回路（ＰＳ回路：Ｐｈａｓｅ  Ｓｈｉｆｔ回路）１００は、無線装置２００（図２Ａ参照）に設けられるアンテナ２０２（図２Ａ参照）により送信される信号またはアンテナ２０２により受信された信号の位相を調整する。実施の形態１においては、特に明記しない限り、アンテナ２０２により送信される信号の位相を調整する場合について説明する。
【００１１】
位相シフト回路１００は、位相シフト部１０１と、第１の制御部１０２と、第２の制御部１０３と、を有している。位相シフト部１０１は、信号を分岐し、分岐した各信号に位相差を与える。位相差は、例えば９０°である。位相シフト部１０１は、分岐した一方の信号の位相を９０°シフトさせる。この場合、位相シフト部１０１は、分岐した一方の信号が通る経路上に設けられる。
【００１２】
なお、位相シフト部１０１は、分岐した各信号に９０°の位相差を与えるのであれば、例えば、分岐した一方の信号を４５°シフトさせ、他方の信号を−４５°シフトさせてもよい。この場合、位相シフト部１０１は、分岐した一方の信号が通る経路上および他方の信号が通る経路上に配置されるものとしてもよい。
【００１３】
位相シフト部１０１は、アンプ回路に含まれる所定のトランジスタを用いて各信号の電圧比を調整する。具体的には、位相シフト部１０１は、アンプ回路に含まれる所定のトランジスタにゲート電圧を印加する。例えば、アンプ回路は、分岐した信号の各経路上にそれぞれ設けられ、すなわち複数設けられる。位相シフト部１０１は、複数のアンプ回路のうちの一のアンプ回路に含まれる所定のトランジスタを用いて各信号の電圧比を調整する。アンプ回路は、分岐した信号の一方の経路上のみに設けられるものとしてもよい。
【００１４】
位相シフト部１０１による、位相差を与える順と電圧比を調整する順について説明すると、例えば、先に各信号に位相差を与え、その後に各信号の電圧比を調整する。つまり、位相シフト部１０１は、位相差を与えた各信号の電圧比を調整する。なお、これに限らず、先に各信号の電圧比を調整し、その後に各信号に位相差を与えてもよい。つまり、位相シフト部１０１は、電圧比を調整した各信号に位相差を与えてもよい。トランジスタは、例えば、電界効果トランジスタ（ＦＥＴ：Ｆｉｅｌｄ  Ｅｆｆｅｃｔ  Ｔｒａｎｓｉｓｔｏｒ）である。また、位相シフト部１０１は、位相差を与え且つ電圧比を調整した各信号を加算する。
【００１５】
第１の制御部１０２は、無線装置が第１の状態である場合に、アンプ回路に含まれる特定のトランジスタへの印加電圧を変化させながら特定のトランジスタの出力を検出することによって特定のトランジスタのピンチオフ電圧を特定する。第１の状態とは、位相シフト回路１００がピンチオフ電圧を特定することが可能な状態であり、例えば、無線装置が運用中ではない状態である。
【００１６】
具体的には、第１の状態は、無線装置が信号の送信および受信のいずれも行っていない状態である。また、第１の状態は、無線装置が信号の送信および受信のいずれも行っていない状態であり、且つ、特定のトランジスタの出力の変動量が所定量以下の状態である。出力の変動量が所定量以下とは、例えば、信号の入力がないことや、入力信号が一定であることである。
【００１７】
特定のトランジスタは、所定のトランジスタであるが、温度に対するピンチオフ電圧の特性が所定のトランジスタと同じであれば、アンプ回路に含まれる他のトランジスタを用いることもできる。ピンチオフ電圧は、印加電圧（ゲート電圧）を変化させて印加した場合に、トランジスタの出力が検出され始める電圧である（図４のピンチオフ電圧Ｖｐ参照）。例えば、第１の制御部１０２は、特定のトランジスタの出力の電流値に基づいて特定のトランジスタの出力を検出する。また、第１の制御部１０２は、特定のトランジスタの出力のパワーに基づいて特定のトランジスタの出力を検出してもよい。
【００１８】
また、第２の制御部１０３は、第２の状態である場合に、第１の制御部１０２によって特定されたピンチオフ電圧に応じた対応情報を用いて、所定のトランジスタへの印加電圧を制御する。第２の状態は、無線装置が第１の状態とは異なり、位相シフト回路１００が所定のトランジスタへの印加電圧を制御する状態であり、例えば、無線装置が運用中の状態である。具体的には、第２の状態は、無線装置が信号の送信または受信を行っている状態である。対応情報は、ピンチオフ電圧に応じて特定される。対応情報は、例えば第１の状態において第１の制御部１０２によって特定されるが、第２の状態において第２の制御部１０３によって特定されてもよい。
【００１９】
対応情報は、所定のトランジスタの印加電圧と位相とを対応付けた情報である。具体的には、対応情報は、第２の制御部１０３による所定のトランジスタへの印加電圧のピンチオフ電圧に応じた制御範囲と、位相シフト部１０１によって加算された信号の位相の可変範囲と、を対応付けた情報である。ピンチオフ電圧に応じた制御範囲は、例えば、最小電圧と最大電圧とを用いて表すことができる。最小電圧は、例えば、ピンチオフ電圧と同じ電圧である。最大電圧は、例えば、ピンチオフ電圧よりも大きい電圧であり、特定のトランジスタにおけるゲインが線形変化する範囲のうちの最も大きい電圧（図４の一定電圧Ｖｇｇ参照）である。
【００２０】
位相の可変範囲とは、例えば−４５°から＋４５°の範囲であり、ピンチオフ電圧に応じた制御範囲と対応付けられている。例えば、−４５°と最大電圧とが対応付けられ、＋４５°と最小電圧とが対応付けられている。対応情報は、例えば、所定の角度毎に制御電圧が対応付けられている情報である。また、対応情報を直線とみなすことができるため、−４５°のときの最大電圧と、＋４５°のときの最小電圧とから、−４５°〜＋４５°の間の制御電圧を算出して得ることができる。対応情報は、例えば、第１の制御部１０２によって作成される情報であり、ピンチオフ電圧が特定される毎に更新される。
【００２１】
第１の制御部１０２は、無線装置が第１の状態である場合に、特定のトランジスタにおけるゲインが線形変化する印加電圧の範囲を特定する。対応情報は、ピンチオフ電圧と第１の制御部１０２によって特定された範囲に含まれ且つピンチオフ電圧よりも高い電圧（一定電圧Ｖｇｇ）とに応じた制御範囲と、可変範囲と、を対応付けた情報である。第１の制御部１０２は、ピンチオフ電圧を特定する際にその都度一定電圧を特定してもよいし、ピンチオフ電圧の特定に対して数回に１回のタイミングで、一定電圧を特定してもよい。なお、第１の制御部１０２と、第２の制御部１０３とは、例えば同一の制御回路である。
【００２２】
（位相シフト回路を備えた無線装置の一例）
図２Ａは、位相シフト回路を備えた無線装置の一例を示す説明図である。図２Ａに示すように、無線装置２００は、複数の位相シフト回路（ＰＳ回路）１００と、位相シフト回路１００に対応する複数のアンプ２０１と、アンプ２０１に対応する複数のアンテナ２０２と、を有する。位相シフト回路１００は、入力された信号の位相を所望の値にシフトさせ、この信号をアンプ２０１へ出力する。アンプ２０１は、位相シフト回路１００から出力された信号を増幅して、アンテナ２０２に出力する。アンテナ２０２は、アンプ２０１から出力された信号を送信する。具体的には、アンテナ２０２は、角度α方向に回転した位置に同位相面を形成した信号を送信する。
【００２３】
位相シフト回路１００は、ミリ波帯域およびマイクロ波帯域のレーダや無線通信アンテナにおいてビームの方向を調整する。例えば、無線装置２００において、位相シフト回路１００を省くと電波は特定の方向に飛ばすことしかできない。ところが、位相シフト回路１００を挿入することによって各位相シフト回路１００での位相をそれぞれ所望の値にシフトさせることが可能となり、無線装置２００は、角度α方向に回転した位置に同位相面を形成する信号を送信することができる。
【００２４】
図２Ｂは、無線装置の適用例を示す説明図（その１）である。図２Ｃは、無線装置の適用例を示す説明図（その２）である。上述したように、位相シフト回路１００によって角度α方向に回転した位置に同位相面を形成することができるという機能を利用することにより、無線装置２００を、図２Ｂの移動体２１０や図２Ｃのリモコン２２０に適用することができる。
【００２５】
図２Ｂに示す移動体２１０は、例えば車両であり、レーダ波を用いて、通行人２１２などの進行方向の障害物を検知する。例えば、移動体２１０は、位相シフト回路１００の位相を変更することにより、レーダ波のビームの送信方向を上方に変更することにより、上方の標識２１１を検知することが可能となる。なお、図２Ｂの例では、ビームの送信方向を上下方向に変更する場合を示しているが、ビームの送信方向を左右方向に変更してもよい。このようにすれば、移動体２１０の進行方向を除く周囲の障害物や、移動体２１０の進行方向を除く周囲の通行人２１２を検知することも可能である。
【００２６】
また、図２Ｃのリモコン２２０は、ビームを用いて、テレビなどの制御対象２２１を制御する。例えば、リモコン２２０からの電波が人のような障害物２２３によって遮断されたとする。この場合、リモコン２２０の電波のビーム方向を変更することにより、ビームを天井２２２や、壁、床などに反射させて、制御対象２２１を制御することができる。
【００２７】
（実施の形態１にかかる位相シフト回路の構成の一例）
図３は、実施の形態１にかかる位相シフト回路の構成の一例を示す説明図である。図３に示すように、位相シフト回路１００は、ＣＰＵ（Ｃｅｎｔｒａｌ  Ｐｒｏｃｅｓｓｉｎｇ  Ｕｎｉｔ）３０１と、メモリ３０２と、位相変換回路３１１と、アンプ３１２ａと、アンプ３１２ｂと、加算回路３１３と、を有する。ＣＰＵ３０１は、各種の情報が入力され、入力される情報に基づいて、アンプ３１２ａおよびアンプ３１２ｂに印加する制御電圧を制御する。入力される情報は、例えば、無線装置２００（図２Ａ参照）の動作情報、入力信号情報、検出結果、制御情報などである。
【００２８】
無線装置２００を移動体２１０（図２Ｂ参照）とすると、動作情報は、例えば無線装置２００に含まれるレーダが動作中であるか否かを示す情報である。例えば、レーダの動作中とは、レーダ波を送信してから反射波を受信するまでの一連の動作期間である。言い換えれば、レーダが一連の動作期間にない場合は、非動作中となる。
【００２９】
入力信号情報は、位相シフト回路１００への入力信号の有無や入力信号が安定した状態であるかを示す情報である。入力信号がない場合には、入力信号は０となる。また、入力信号が安定した状態とは、入力信号が一定であることである。例えば、移動体２１０が寒いところから暑いところに移動した際など、急激な環境の変化があると、ノイズ等によって入力信号が変化する。
【００３０】
検出結果は、アンプ３１２ａに含まれるトランジスタにゲート電圧が印加される際に得られるゲインの検出結果である。ゲインは、例えばドレイン電流（Ｉｄ）に基づいて得ることができ、電流測定部３２２によって測定される。制御情報は、メモリ３０２に記憶されており、例えば、制御電圧と位相との関係を示すテーブル６００（図６参照）に記憶される制御電圧を示す情報である。
【００３１】
ＣＰＵ３０１は、無線装置２００の動作情報および入力信号情報に基づいて、位相補償を行う。具体的には、ＣＰＵ３０１は、レーダの非動作時において、位相シフト回路１００への信号の入力が０の場合や入力信号が一定の場合に、アンプ３１２ａにゲート電圧を印加して、電流測定部３２２によるゲインの検出結果を得る。
【００３２】
そして、ＣＰＵ３０１は、ゲインの検出結果から特定されるピンチオフ電圧に基づいて、メモリ３０２に記憶されている、位相と制御電圧との関係を示すテーブル６００の対応情報を更新する。ＣＰＵ３０１は、レーダの動作時に、テーブル６００の対応情報を参照して、アンプ３１２ａおよびアンプ３１２ｂに対し、所定の位相情報が示す位相に応じた制御電圧を印加する。
【００３３】
位相シフト回路１００には入力信号が入力される。この入力信号は、分岐により一方がアンプ３１２ａへ出力され、他方が位相変換回路３１１へ出力される。アンプ３１２ａは、アンプ回路であり、トランジスタ（ＦＥＴ）を有する。トランジスタには、ＣＰＵ３０１の制御によってレーダの動作時における制御電圧ＶIが印加され、入力された信号を増幅して、加算回路３１３へ出力する。
【００３４】
位相変換回路３１１は、入力された信号の位相を９０°シフトさせ、９０°シフトさせた信号をアンプ３１２ｂへ出力する。アンプ３１２ｂは、アンプ回路であり、トランジスタ（ＦＥＴ）を有する。トランジスタには、ＣＰＵ３０１の制御によってレーダの動作時における制御電圧ＶQが印加され、位相変換回路３１１から出力された信号を増幅して、加算回路３１３へ出力する。加算回路３１３は、アンプ３１２ａおよびアンプ３１２ｂから出力された信号を加算して出力する。これにより、位相シフト回路１００は、所望の位相に変化させることができる。
【００３５】
また、アンプ３１２ａは、電圧制御回路３２１と、電流測定部３２２とに接続されている。電圧制御回路３２１は、ＣＰＵ３０１の制御により、レーダの非動作時において、位相シフト回路１００への入力信号が０の場合や入力信号が一定の場合に、アンプ３１２ａにゲート電圧（制御電圧Ｖｇ）を印加させる。電流測定部３２２は、アンプ３１２ａにゲート電圧が印加される際のゲインを検出し、検出結果をＣＰＵ３０１へ出力する。
【００３６】
例えば、位相変換回路３１１と、アンプ３１２ａと、アンプ３１２ｂと、加算回路３１３と、によって、位相シフト部が実現される。また、例えば、ＣＰＵ３０１と、電圧制御回路３２１と、電流測定部３２２とによって、第１の制御部が実現される。また、例えば、ＣＰＵ３０１によって、第２の制御部が実現される。
【００３７】
（アンプ３１２ａに含まれるＦＥＴのゲート電圧に対するゲイン特性の一例）
図４は、アンプに含まれるＦＥＴのゲート電圧に対するゲイン特性の一例を示すグラフである。図４において、横軸は、ゲート電圧を示している。縦軸はゲインを示している。ゲイン特性４００に示すように、ゲート電圧を上げていくと、ゲインが上がる。ゲインが出始めるところがピンチオフ電圧Ｖｐである。さらに、ゲート電圧を上げていくと、ゲインは線形的に増加して、その後、飽和する。一定電圧Ｖｇｇは、ゲート電圧に対してゲインが線形性を有する範囲内の電圧であり、ゲインが飽和する際の電圧の０．７〜０．９倍の電圧である。一定電圧Ｖｇｇが確定すると、制御電圧ＶI，ＶQを決定することができる。
【００３８】
（制御電圧と位相との関係の一例）
図５は、制御電圧と位相との関係の一例を示すグラフである。図５において、横軸は、アンプ３１２ｂに印加される制御電圧ＶQを示している。縦軸は位相を示している。ＰＳ回路特性５００に示すように、制御電圧ＶQは、ＶminからＶmaxの範囲をとる。制御電圧ＶQがＶminのときの位相は＋４５°となる。制御電圧ＶQがＶmaxのときの位相は−４５°となる。なお、制御電圧ＶQがとり得る−４５°〜＋４５°は、位相変換回路３１１による０°〜９０°の位相のずれを、基準を変更して表したものである。
【００３９】
制御電圧ＶQのＶminは、ピンチオフ電圧Ｖｐに相当する。すなわち、下記（１）式が成り立つ。
【００４０】
Ｖmin＝Ｖｐ・・・（１）
【００４１】
制御電圧ＶQのＶmaxは、一定電圧Ｖｇｇからピンチオフ電圧Ｖｐを減算したものである。すなわち、下記（２）式が成り立つ。
【００４２】
Ｖmax＝Ｖｇｇ−Ｖｐ・・・（２）
【００４３】
アンプ３１２ａに印加される制御電圧ＶIと、アンプ３１２ｂに印加される制御電圧ＶQとの間には、下記（３）式が成り立つ。
【００４４】
ＶI＝Ｖｇｇ−ＶQ・・・（３）
【００４５】
そのため、位相が４５°のときには、制御電圧ＶIはＶmaxとなり、制御電圧ＶQはＶminとなる。また、位相が−４５°のときには、制御電圧ＶIはＶminとなり、制御電圧ＶQはＶmaxとなる。また、位相が０°のときには、制御電圧ＶI＝制御電圧ＶQとなる。
【００４６】
（制御電圧のテーブルの一例）
図６は、制御電圧のテーブルの一例を示す説明図である。図６のテーブル６００に示す制御電圧ＶI，ＶQは、それぞれＶminからＶmaxの範囲をとる。テーブル６００には、位相が４５°のときのＶmaxとなるＶI、およびＶminとなるＶQが格納されている。また、テーブル６００には、位相が−４５°のときのＶminとなるＶI、およびＶmaxとなるＶQが格納されている。テーブル６００には、＋４５°および−４５°を除く位相についても、所定度数毎に制御電圧ＶI，ＶQの値が格納されている。対応情報を直線とみなす場合には、＋４５°および−４５°のときの各電圧から、−４５°〜＋４５°の間の制御電圧を算出して得ることができる。これにより、ＰＳ回路特性５００（図５参照）を得ることができる。
【００４７】
（制御電圧と位相との関係の温度変化の一例）
図７は、制御電圧と位相との関係の温度変化の一例を示すグラフである。図７において、横軸は位相を示している。縦軸は制御電圧を示している。縦軸の制御電圧は、制御電圧ＶQまたは制御電圧ＶIである。温度変化とは、アンプ３１２ａに含まれるＦＥＴの環境温度の変化である。図７には、温度毎の、制御電圧と位相との関係７０１，７０２，７０３を示している。
【００４８】
図７では、温度が２５℃のときの関係７０１と、温度が５０℃のときの関係７０２と、温度が９５℃のときの関係７０３と、を示している。関係７０１，７０２，７０３はそれぞれ異なる関係を示している。図７に示すように、関係７０１，７０２，７０３のそれぞれは、位相が０°から離れるにつれて制御電圧の相違が大きくなり、また、温度の変化が大きいほど制御電圧の相違も大きくなる。このように、温度によって制御電圧と位相との関係が異なることとなる。
【００４９】
（温度毎のピンチオフ電圧の検出結果の一例）
図８は、温度毎のピンチオフ電圧の検出結果の一例を示すグラフである。図８に示すピンチオフ電圧Ｖｐは、図７に示した関係７０１，７０２，７０３を得るために得た検出結果であり、関係７０１，７０２，７０３に対応する。検出結果８００に示すように、ピンチオフ電圧Ｖｐは温度によって異なる。例えば、ピンチオフ電圧Ｖｐは、２５℃のときに０．３７３であり、５０℃のときに０．３６８であり、９５℃のときに０．３５６である。この検出結果から温度が２５℃から９５℃に変化すると、ピンチオフ電圧Ｖｐは約０．０２Ｖ低下することが分かる。
【００５０】
（ピンチオフ電圧に応じた制御電圧と位相との関係）
図７に示したように、温度の変化（ピンチオフ電圧Ｖｐの変化）に応じて制御電圧と位相との関係が異なることになるが、ピンチオフ電圧Ｖｐが低い場合と高い場合とにおける不具合の一例について説明する。
【００５１】
図９は、ピンチオフ電圧が低い場合の制御電圧と位相との関係の一例を示すグラフである。図１０は、ピンチオフ電圧が高い場合の制御電圧と位相との関係の一例を示すグラフである。図９および図１０において、横軸は、アンプ３１２ｂのＦＥＴに印加される制御電圧ＶQを示している。縦軸は位相を示している。
【００５２】
図９に示すように、ピンチオフ電圧Ｖｐが低い場合、Ｖmax付近の範囲９０１と、Ｖmin付近の範囲９０２について、位相を得ることができなくなる。また、図１０に示すように、ピンチオフ電圧Ｖｐが高い場合、位相が＋４５°付近の範囲１００１と、位相が−４５°付近の範囲１００２について、電圧の不感帯が生じる。このように、ピンチオフ電圧Ｖｐの変化によって、特定の範囲の位相を得られないことや電圧に不感帯が生じることがある。実施の形態１では、このような不具合を改善できる。
【００５３】
（ＦＥＴのゲート電圧に対するドレイン電流の温度依存の一例）
図１１は、アンプに含まれるＦＥＴのゲート電圧に対するドレイン電流の温度依存の一例を示すグラフである。図１１において、横軸はゲート電圧を示している。縦軸はゲインを示すドレイン電流を示している。図１１に示すように、ゲート電圧を上げていくと、ドレイン電流が流れる。ドレイン電流が流れ始めるところがピンチオフ電圧Ｖｐである。
【００５４】
ドレイン電流特性１１０１，１１０２，１１０３に示すように、温度によって、ピンチオフ電圧Ｖｐおよび一定電圧Ｖｇｇが異なる。ドレイン電流特性１１０１は、２５℃のときの特性である。ドレイン電流特性１１０２は、５０℃のときの特性である。ドレイン電流特性１１０３は、９５℃のときの特性である。
【００５５】
（制御電圧と位相との関係の補正の一例）
図１２は、制御電圧と位相との関係の補正の一例を示すグラフである。図１２において、横軸は、アンプ３１２ｂに印加される制御電圧ＶQを示している。縦軸は位相を示している。ＰＳ回路特性１２０１は、例えばピンチオフ電圧Ｖｐが低い場合（９５℃の場合）における特性を示している。ＰＳ回路特性１２０２は、例えばピンチオフ電圧Ｖｐが低い場合（９５℃の場合）に、必要とされる特性を示している。ＰＳ回路特性１２０３は、ピンチオフ電圧Ｖｐが低い場合（９５℃の場合）に、ＰＳ回路特性１２０１を補正した特性を示している。
【００５６】
ＰＳ回路特性１２０３は、直線である。つまり、ＰＳ回路特性１２０２に近似する直線とみなして補正したものである。具体的には、上記（１）〜（３）式を用いて、検出したピンチオフ電圧Ｖｐを制御電圧ＶQのＶminとし、制御電圧ＶQのＶmaxや、制御電圧ＶIのＶmaxおよびＶminを得ることにより、ＰＳ回路特性１２０３に示す直線を得ることができる。例えば、位相シフト回路１００は、ＰＳ回路特性１２０３に示す直線を得て、−４５°〜＋４５°の所定度数毎の制御電圧を算出して、テーブル６００を更新することができる。
【００５７】
また、例えばピンチオフ電圧Ｖｐが高い場合（２５℃の場合）のＰＳ回路特性についても同様に、ピンチオフ電圧Ｖｐが高い場合に補正する特性とみなした直線を得ることができる。これにより、ピンチオフ電圧Ｖｐの変化によって、特定の範囲の位相を得られないことや電圧に不感帯が生じることを抑えることができる。なお、図１２においては、補正後の特性を直線で表したが、例えば、所定度数毎に補正用のアルゴリズムを用意しておき、所定度数毎に制御電圧を算出することにより、ＰＳ回路特性１２０２と同様の特性を得ることも可能である。
【００５８】
（ＦＥＴのゲート電圧に対するドレイン電流のウェハ個体依存の一例）
図１３は、ＦＥＴのゲート電圧に対するドレイン電流のウェハ個体依存の一例を示すグラフである。図１３において、横軸はゲート電圧を示している。縦軸はゲインを示すドレイン電流を示している。図１３に示すように、ゲート電圧を上げていくと、ドレイン電流が流れる。ドレイン電流が流れ始めるところがピンチオフ電圧Ｖｐである。ピンチオフ電圧Ｖｐは、温度に依存して異なるが、ドレイン電流特性１３０１，１３０２，１３０３に示すように、ウェハの個体差によっても異なる。
【００５９】
例えば、ドレイン電流特性１３０１は、個体Ａの特性である。ドレイン電流特性１３０２は、個体Ｂの特性である。ドレイン電流特性１３０３は、個体Ｃの特性である。このように、ウェハの個体毎にピンチオフ電圧Ｖｐおよび一定電圧Ｖｇｇが異なる。このため、ウェハの個体毎に、制御電圧と位相との関係が異なることになる。これに対して、実施の形態１では、ウェハの個体依存についても、温度依存と同様の補正を行うことができる。例えば、個体Ａのようにピンチオフ電圧Ｖｐが低いときは、図１２のＰＳ回路特性１２０３に示したように、ＰＳ回路特性１２０２に近似する直線とみなす補正を行って位相補償を行えばよい。
【００６０】
（位相シフト回路が行う位相補償方法の一例）
図１４は、位相シフト回路が行う位相補償方法の一例を示すフローチャートである。図１４に示すように、位相シフト回路１００のＣＰＵ３０１は、例えば無線装置２００におけるレーダが動作中であるか否かを判定する（ステップＳ１４０１）。例えば、無線装置２００は、レーダ波を送信してから反射波を受信するまでの一連の動作を、複数回連続して行って、所定期間休止するという動作を数ｍｓｅｃオーダで繰り返す。レーダの動作中とは、この一連の動作が行われていることである。また、休止する期間がレーダの非動作中となる。例えば、無線装置２００をリモコン２２０（図２Ｃ参照）とした場合は、ステップＳ１４０１では、ビームの送信中であるか否かを判定すればよい。
【００６１】
レーダが動作中ではない場合（ステップＳ１４０１：Ｎｏ）、ＣＰＵ３０１は、信号の入力が０または入力信号が一定であるか否かを判定する（ステップＳ１４０２）。信号の入力が０とは、信号の入力がないことに相当する。入力信号が一定であるとは、例えばノイズ等がなく安定した状態にあることに相当する。信号の入力が０または入力信号が一定ではない場合（ステップＳ１４０２：Ｎｏ）、ＣＰＵ３０１は、ステップＳ１４０１に戻る。
【００６２】
信号の入力が０または入力信号が一定である場合（ステップＳ１４０２：Ｙｅｓ）、ＣＰＵ３０１は、電圧制御回路３２１を制御して、アンプ３１２ａのＦＥＴに対してゲート電圧の印加を開始させる（ステップＳ１４０３）。そして、ＣＰＵ３０１は、電流測定部３２２の検出結果を参照して、ピンチオフ電圧Ｖｐが検出されたか否かを判定する（ステップＳ１４０４）。
【００６３】
ステップＳ１４０３では、印加するゲート電圧を、０を起点に徐々に大きくなるように印加してもよいが、予測されるピンチオフ電圧Ｖｐの手前となる電圧（＞０）から徐々に大きくなるように印加する。これにより、ピンチオフ電圧Ｖｐを早期に検出することができ、位相補償を迅速に行うことができる。
【００６４】
ステップＳ１４０４において、ピンチオフ電圧Ｖｐが検出されるまでＣＰＵ３０１は待機する（ステップＳ１４０４：Ｎｏ）。なお、ＣＰＵ３０１は、待機している間も印加するゲート電圧を徐々に高くしていく。ピンチオフ電圧Ｖｐが検出されると（ステップＳ１４０４：Ｙｅｓ）、ＣＰＵ３０１は、例えばメモリ３０２にピンチオフ電圧Ｖｐを記憶させる（ステップＳ１４０５）。
【００６５】
次に、ＣＰＵ３０１は、ドレイン電流が飽和したか否かを判定する（ステップＳ１４０６）。ドレイン電流が飽和するまでＣＰＵ３０１は待機する（ステップＳ１４０６：Ｎｏ）。なお、ＣＰＵ３０１は、待機している間も印加するゲート電圧を徐々に高くしていく。
【００６６】
ドレイン電流が飽和した場合（ステップＳ１４０６：Ｙｅｓ）、ＣＰＵ３０１は、例えばメモリ３０２に、ドレイン電流が飽和する際の電圧の０．７〜０．９倍の電圧である一定電圧Ｖｇｇを記憶させる（ステップＳ１４０７）。なお、ステップＳ１４０６およびステップＳ１４０７の処理については、例えば、環境変化が著しい場合など、特定の条件下に限って行ってもよい。これにより、ドレイン電流の飽和までゲート電圧を印加させないため、位相補償を迅速に行うことができる。
【００６７】
次に、ＣＰＵ３０１は、アンプ３１２ａに対するゲート電圧の印加を終了し（ステップＳ１４０８）、メモリ３０２に記憶されるテーブル６００を更新し（ステップＳ１４０９）、本フローチャートによる一連の処理を終了する。ステップＳ１４０９では、ピンチオフ電圧Ｖｐおよび上記（１）〜（３）式を用いて、ＰＳ回路特性１２０３に示す直線を得るための制御電圧ＶI，ＶQを位相と対応付けることにより、テーブル６００の更新が行われる。
【００６８】
ステップＳ１４０１において、レーダの動作中である場合（ステップＳ１４０１：Ｙｅｓ）、ＣＰＵ３０１は、位相の設定値を読み込む（ステップＳ１４１０）。そして、ＣＰＵ３０１は、テーブル６００を参照し、設定値が示す位相に応じた制御電圧ＶI，ＶQをそれぞれ対応するアンプ３１２ａおよびアンプ３１２ｂにそれぞれ出力し（ステップＳ１４１１）、本フローチャートによる一連の処理を終了する。
【００６９】
上述した処理によれば、位相シフト回路１００の環境温度に変化がある場合や位相シフト回路１００のウェハに個体差に応じた位相補償を行うことができるため、位相制御の精度の向上を図ることができる。なお、アンプ３１２ａに複数のトランジスタが含まれる場合、温度に対するピンチオフ電圧Ｖｐの特性が同じであれば、他のトランジスタを用いてピンチオフ電圧Ｖｐを検出してもよい。他のトランジスタとは、上述したゲインの検出に用いたトランジスタとは異なるトランジスタであり且つアンプ３１２ａに含まれる他のトランジスタである。
【００７０】
（電流測定部の一例）
図１５は、電流測定部の一例を示す説明図である。図１５に示すように、電流測定部３２２は、スイッチＳ１，Ｓ２と、シャント抵抗Ｒ１と、オペアンプ１５０１と、を有する。ＦＥＴ１５１０は、例えばアンプ３１２ａに含まれ、制御電圧Ｖｇが印加される。スイッチＳ１は、ＦＥＴ１５１０と、シャント抵抗Ｒ１と、スイッチＳ２と、に接続し、回路の切替えを行う。スイッチＳ１は、ゲインの検出を行う際にシャント抵抗Ｒ１側に切り替わる。
【００７１】
スイッチＳ２は、電源電圧Ｖｄｄと、シャント抵抗Ｒ１と、スイッチＳ１と、に接続し、回路の切替えを行う。スイッチＳ２は、ゲインの検出を行う際にシャント抵抗Ｒ１側に切り替わる。電源電圧Ｖｄｄは、一定の電圧である。シャント抵抗Ｒ１は、電流を検出するための抵抗である。オペアンプ１５０１は、電流を検出するためのオペアンプであり、アンプ電源電圧Ｖａが印加されて、入力される電流を増幅させる。
【００７２】
ＦＥＴ１５１０に任意の制御電圧Ｖｇを印加していくと、シャント抵抗Ｒ１に電流が流れ、シャント抵抗Ｒ１の両端に電位差が発生する。これをオペアンプ１５０１で増幅させることにより、流れる電流に比例した電圧が得られ、現在の制御電圧Ｖｇに対応する電流が判明する。このようにして、電流測定部３２２は、ＦＥＴ１５１０に制御電圧Ｖｇが印加される際の電流に基づくゲインを検出することができる。
【００７３】
以上説明したように、実施の形態１によれば、位相シフト回路１００の環境温度に変化がある場合や位相シフト回路１００のウェハに個体差に応じた位相補償を行うことができる。したがって、位相制御の精度の向上を図ることができる。
【００７４】
また、分岐した各信号の電圧比を調整するトランジスタを用いてトランジスタの出力を検出したため、温度変化や個体差に応じた位相補償の精度を向上させることができる。また、温度に対するピンチオフ電圧の特性が同じアンプ３１２ａ内の他のトランジスタを用いることも可能であり、このような構成でも、温度変化や個体差に応じた位相補償を行うことができる。
【００７５】
また、無線装置が信号の送信および受信のいずれも行っていない第１の状態で位相補償を行うため、無線装置２００の動作を妨げることなく、位相補償を行うことができる。また、アンプ３１２ａのトランジスタの出力の変動量が所定量以下の状態である場合に、位相補償を行うため、位相補償の精度を向上させることができる。
【００７６】
（実施の形態２）
次に、位相シフト回路１００の実施の形態２について説明する。実施の形態１では、アンプ３１２ａのＦＥＴのドレイン電流の検出結果を用いて位相補償を行ったが、実施の形態２では、アンプ３１２ａのＦＥＴのパワーの検出結果を用いて位相補償を行う場合について説明する。実施の形態２においては、実施の形態１と異なる部分について説明を行う。
【００７７】
（位相シフト回路の構成の一例）
図１６は、実施の形態２にかかる位相シフト回路の構成の一例を示す説明図である。図１６に示すように、位相シフト回路１００は、スイッチ（ＳＷ）１６０１と、ディテクタ（ＤＥＴ）１６０２と、を有する。スイッチ１６０１には、アンプ３１２ａからの信号が入力される。スイッチ１６０１は、ＣＰＵ３０１の制御により、入力された信号の出力先を加算回路３１３またはディテクタ１６０２のいずれかに切替える。ゲインの減少分をアンプ３１２ａで、あるいは加算回路３１３の入力前までに補償できれば、スイッチ１６０１を分配器に置き換えることも可能である。
【００７８】
加算回路３１３は、スイッチ１６０１を介してアンプ３１２ａから出力された信号と、アンプ３１２ｂから出力された信号とを加算して出力する。ディテクタ１６０２は、アンプ３１２ａから出力された信号のパワーを検出し、検出結果をＣＰＵ３０１に出力する。パワーは、例えば、アンプ３１２ａに入力される信号と、アンプ３１２ｂから出力される信号の比「ｄＢｍ」である。
【００７９】
ＣＰＵ３０１は、レーダの非動作時において、位相シフト回路１００への信号の入力が０または入力信号が安定している場合に、ディテクタ１６０２へ信号を出力させるようにスイッチ１６０１を切替える。そして、ＣＰＵ３０１は、アンプ３１２ａへのゲート電圧の印加を行い、ディテクタ１６０２からパワーの検出結果を得る。さらに、ＣＰＵ３０１は、パワーの検出結果に基づいて、メモリ３０２に記憶されている、位相と制御電圧を示すテーブル６００を更新する。
【００８０】
（ＦＥＴのゲート電圧に対するパワーの温度依存の一例）
図１７は、アンプに含まれるＦＥＴのゲート電圧に対するパワーの温度依存の一例を示すグラフである。図１７において、横軸はゲート電圧を示している。縦軸はゲインを示すパワーを示している。図１７に示すように、ゲート電圧を上げていくと、パワーが上がる。パワーが出始めるところがピンチオフ電圧Ｖｐである。
【００８１】
パワー特性１７０１，１７０２，１７０３に示すように、環境温度によって、ピンチオフ電圧Ｖｐおよび一定電圧Ｖｇｇが異なる。パワー特性１７０１は、２５℃のときの特性である。パワー特性１７０２は、５０℃のときの特性である。パワー特性１７０３は、９５℃のときの特性である。
【００８２】
なお、実施の形態１で説明したとおり、ウェハの個体に応じてピンチオフ電圧Ｖｐが変わるが（図１３）、これと同様である。具体的には、不図示であるが、縦軸をパワー［ｄＢｍ］とし、横軸をゲート電圧としてグラフを作成すると、図１３と同様に、ウェハの個体毎にピンチオフ電圧Ｖｐが異なるグラフが得られる。このように、ウェハの個体毎にピンチオフ電圧Ｖｐが異なる場合についても、ドレイン電流の検出結果に基づいて位相補償を行う場合と同様に、パワーの検出結果に基づいて位相補償を行うことができる。
【００８３】
（実施の形態２にかかる位相シフト回路が行う位相補償方法の一例）
図１８は、実施の形態２にかかる位相シフト回路が行う位相補償方法の一例を示すフローチャートである。図１８に示すように、位相シフト回路１００のＣＰＵ３０１は、例えば無線装置２００におけるレーダの動作中であるか否かを判定する（ステップＳ１８０１）。レーダの動作中ではない場合（ステップＳ１８０１：Ｎｏ）、ＣＰＵ３０１は、信号の入力が０または入力信号が一定であるか否かを判定する（ステップＳ１８０２）。信号の入力が０または入力信号が一定ではない場合（ステップＳ１８０２：Ｎｏ）、ＣＰＵ３０１は、ステップＳ１８０１に戻る。
【００８４】
信号の入力が０または入力信号が一定である場合（ステップＳ１８０２：Ｙｅｓ）、ＣＰＵ３０１は、ディテクタ１６０２へ信号を出力させるように、スイッチ１６０１をディテクタ１６０２側に切替える（ステップＳ１８０３）。そして、ＣＰＵ３０１は、電圧制御回路３２１を制御して、アンプ３１２ａに対するゲート電圧の印加を開始する（ステップＳ１８０４）。ステップＳ１８０４では、例えば、想定されるピンチオフ電圧Ｖｐの手前となる電圧（＞０）から徐々に大きくなるようにゲート電圧を印加する。そして、ＣＰＵ３０１は、ディテクタ１６０２の検出結果を参照して、ピンチオフ電圧Ｖｐが検出されたか否かを判定する（ステップＳ１８０５）。
【００８５】
ステップＳ１８０５において、ピンチオフ電圧Ｖｐが検出されるまでＣＰＵ３０１は待機する（ステップＳ１８０５：Ｎｏ）。なお、ＣＰＵ３０１は、待機している間も印加するゲート電圧を徐々に高くしていく。ピンチオフ電圧Ｖｐが検出されると（ステップＳ１８０５：Ｙｅｓ）、ＣＰＵ３０１は、例えばメモリ３０２にピンチオフ電圧Ｖｐを記憶させる（ステップＳ１８０６）。
【００８６】
次に、ＣＰＵ３０１は、パワーが飽和したか否かを判定する（ステップＳ１８０７）。パワーが飽和するまでＣＰＵ３０１は待機する（ステップＳ１８０７：Ｎｏ）。なお、ＣＰＵ３０１は、待機している間も印加するゲート電圧を徐々に高くしていく。
【００８７】
パワーが飽和した場合（ステップＳ１８０７：Ｙｅｓ）、ＣＰＵ３０１は、例えばメモリ３０２に、パワーが飽和する際の電圧の０．７〜０．９倍の電圧である一定電圧Ｖｇｇを記憶させる（ステップＳ１８０８）。なお、ステップＳ１８０６およびステップＳ１８０７の処理については、例えば、環境変化が著しい場合など、特定の条件下に限って行ってもよい。これにより、位相補償を迅速に行うことができる。
【００８８】
次に、ＣＰＵ３０１は、アンプ３１２ａに対するゲート電圧の印加を終了し（ステップＳ１８０９）、メモリ３０２に記憶されるテーブル６００を更新する（ステップＳ１８１０）。ステップＳ１８１０では、ピンチオフ電圧Ｖｐおよび上記（１）〜（３）式を用いて、ＰＳ回路特性１２０３に示す直線を得るための制御電圧ＶI，ＶQを位相と対応付けることにより、テーブル６００の更新が行われる。そして、ＣＰＵ３０１は、ディテクタ１６０２側に切替えたスイッチ１６０１を元に戻し（ステップＳ１８１１）、本フローチャートによる一連の処理を終了する。
【００８９】
ステップＳ１８０１において、レーダの動作中である場合（ステップＳ１８０１：Ｙｅｓ）、ＣＰＵ３０１は、位相の設定値を読み込む（ステップＳ１８１２）。そして、ＣＰＵ３０１は、テーブル６００を参照し、設定値が示す位相に応じた制御電圧ＶI，ＶQをそれぞれ対応するアンプ３１２ａおよびアンプ３１２ｂにそれぞれ出力し（ステップＳ１８１３）、本フローチャートによる一連の処理を終了する。
【００９０】
上述した処理によれば、位相シフト回路１００の環境温度に変化がある場合や位相シフト回路１００のウェハに個体差に応じた位相補償を行うことができるため、位相制御の精度の向上を図ることができる。実施の形態２によれば、実施の形態１と同様の効果を得ることができる。
【００９１】
（無線装置の他の適用例）
次に、無線装置２００の他の適用例について説明する。
【００９２】
図１９は、無線装置の適用例を示す説明図（その３）である。位相シフト回路１００によって角度α方向に回転した位置に同位相面を形成することができるという機能を利用することにより、無線装置２００を、移動体通信の基地局や移動局に適用することができる。図１９に示す送信装置１９００と、受信装置１９１０とは、移動体通信の基地局または移動局のいずれかを示す。
【００９３】
送信装置１９００は、図２Ａに示した無線装置２００と同様の構成である。受信装置１９１０は、位相シフト回路１００に対応する複数のアンテナ１９１１と、アンプ１９１２と、受信部１９１３と、を有する。アンテナ１９１１は、送信装置１９００からの信号を受信する。アンプ１９１２は、アンテナ１９１１から出力された信号を増幅して、位相シフト回路１００に出力する。
【００９４】
位相シフト回路１００は、入力された信号の位相を所望の値にシフトさせ、この信号を受信部１９１３へ出力する。受信部１９１３は、受信した信号を処理する。このように、無線装置２００を、移動体通信の基地局（例えば送信装置１９００）や移動局（例えば受信装置１９１０）に適用することができる。
【００９５】
上述した実施の形態１，２に関し、さらに以下の付記を開示する。
【００９６】
（付記１）無線装置に設けられるアンテナにより送信される信号または前記アンテナにより受信された信号の位相を調整する位相シフト回路であって、
前記信号を分岐し、分岐した各信号に位相差を与え、アンプ回路に含まれる所定のトランジスタを用いて前記各信号の電圧比を調整し、前記位相差を与え且つ前記電圧比を調整した各信号を加算する位相シフト部と、
前記無線装置が第１の状態である場合に、前記アンプ回路に含まれる特定のトランジスタへの印加電圧を変化させながら前記特定のトランジスタの出力を検出することによって前記特定のトランジスタのピンチオフ電圧を特定する第１の制御部と、
前記無線装置が前記第１の状態とは異なる第２の状態である場合に、前記第１の制御部によって特定された前記ピンチオフ電圧に応じた、前記所定のトランジスタの印加電圧と位相との対応情報を用いて、前記所定のトランジスタへの印加電圧を制御する第２の制御部と、
を有することを特徴とする位相シフト回路。
【００９７】
（付記２）前記特定のトランジスタは、前記所定のトランジスタであることを特徴とする付記１に記載の位相シフト回路。
【００９８】
（付記３）前記特定のトランジスタは、温度に対するピンチオフ電圧の特性が前記所定のトランジスタと同じトランジスタであることを特徴とする付記１に記載の位相シフト回路。
【００９９】
（付記４）前記対応情報は、前記第２の制御部による前記所定のトランジスタへの印加電圧の前記ピンチオフ電圧に応じた制御範囲と、前記位相シフト部によって加算された信号の位相の可変範囲と、を対応付けた情報であることを特徴とする付記１〜３のいずれか一つに記載の位相シフト回路。
【０１００】
（付記５）前記第１の制御部は、前記無線装置が前記第１の状態である場合に、前記特定のトランジスタにおけるゲインが線形変化する印加電圧の範囲を特定し、
前記対応情報は、前記ピンチオフ電圧と、前記第１の制御部によって特定された前記範囲に含まれ且つ前記ピンチオフ電圧よりも高い電圧と、に応じた前記制御範囲と、前記可変範囲と、を対応付けた情報である
ことを特徴とする付記４に記載の位相シフト回路。
【０１０１】
（付記６）前記第１の制御部は、前記特定のトランジスタの出力の電流値に基づいて前記特定のトランジスタの出力を検出することを特徴とする付記１〜５のいずれか一つに記載の位相シフト回路。
【０１０２】
（付記７）前記第１の制御部は、前記特定のトランジスタの出力のパワーに基づいて前記特定のトランジスタの出力を検出することを特徴とする付記１〜５のいずれか一つに記載の位相シフト回路。
【０１０３】
（付記８）前記第１の状態は、前記無線装置が前記信号の送信および受信のいずれも行っていない状態であり、
前記第２の状態は、前記無線装置が前記信号の送信または受信を行っている状態である
ことを特徴とする付記１〜７のいずれか一つに記載の位相シフト回路。
【０１０４】
（付記９）前記第１の状態は、前記特定のトランジスタの出力の変動量が所定量以下の状態であることを特徴とする付記８に記載の位相シフト回路。
【０１０５】
（付記１０）無線装置に設けられるアンテナにより送信される信号または前記アンテナにより受信された信号の位相を調整する位相シフト回路の位相補償方法であって、
前記信号を分岐し、分岐した各信号に位相差を与え、アンプ回路に含まれる所定のトランジスタを用いて前記各信号の電圧比を調整し、前記位相差を与え且つ前記電圧比を調整した各信号を加算する位相シフト回路について、
前記無線装置が第１の状態である場合に、前記アンプ回路に含まれる特定のトランジスタへの印加電圧を変化させながら前記特定のトランジスタの出力を検出することによって前記特定のトランジスタのピンチオフ電圧を特定し、
前記無線装置が前記第１の状態とは異なる第２の状態である場合に、特定した前記ピンチオフ電圧に応じた、前記所定のトランジスタの印加電圧と位相との対応情報を用いて、前記所定のトランジスタへの印加電圧を制御する
ことを特徴とする位相補償方法。
【符号の説明】
【０１０６】
１００  位相シフト回路
２００  無線装置
３０１  ＣＰＵ
３０２  メモリ
３１１  位相変換回路
３１２ａ，３１２ｂ  アンプ
３１３  加算回路
６００  テーブル
【図１】
2015192431.tif 000003
【図２Ａ】
2015192431.tif 000004
【図２Ｂ】
2015192431.tif 000005
【図２Ｃ】
2015192431.tif 000006
【図３】
2015192431.tif 000007
【図４】
2015192431.tif 000008
【図５】
2015192431.tif 000009
【図６】
2015192431.tif 000010
【図７】
2015192431.tif 000011
【図８】
2015192431.tif 000012
【図９】
2015192431.tif 000013
【図１０】
2015192431.tif 000014
【図１１】
2015192431.tif 000015
【図１２】
2015192431.tif 000016
【図１３】
2015192431.tif 000017
【図１４】
2015192431.tif 000018
【図１５】
2015192431.tif 000019
【図１６】
2015192431.tif 000020
【図１７】
2015192431.tif 000021
【図１８】
2015192431.tif 000022
【図１９】
2015192431.tif 000023